(57)【特許請求の範囲】
【請求項１】
２個のケース構成体を適宜の連結手段により連結して形成され、内部に錠制御装置との電子認証用交信手段を含む電子回路を収容したキーケースと、
キーケースに着脱可能に装着されるケース装着体とを有する電子キー装置であって、
前記キーケースには、ケース装着体が嵌合可能な幅でケース装着体の装着方向に延びる切欠部分が形成され、該切欠部分にケース装着体が嵌合されて装着され、
かつ、前記切欠部分にはケース構成体同士の連結解除操作を行う連結解除操作部が配置されるとともに、ケース装着体を装着した状態で連結解除操作部がケース装着体により連結解除操作不能に覆い隠される電子キー装置。
【請求項２】
前記連結手段は、スナップフィット構造であり、
かつ、連結解除操作部が、前記ケース構成体の境界に形成されるこじ開け用のスリットである請求項１記載の電子キー装置。
【請求項３】
前記ケース装着体には、キーケースへの装着時に各々のケース構成体に設けた被押圧面を押圧してケース構成体に締め付け方向の力を付与する押圧面が形成される請求項１または２記載の電子キー装置。
【請求項４】
ケース構成体の分割境界面にはシール部材が介装され、前記ケース装着体の装着により、シール面圧が保持される請求項３記載の電子キー装置。
【請求項５】
前記キーケースに抜去可能に収納されるメカニカルキーがケース装着体として使用される請求項１、２、３または４記載の電子キー装置。
【発明の詳細な説明】
【技術分野】
【０００１】
本発明は、電子キー装置に関するものである。
【背景技術】
【０００２】
分割可能なケース内に施解錠操作用の通信回路を組み込んだ電子キー装置としては、特許文献１に記載のものが知られている。この従来例において、ケースは第１ケース部と第２ケース部とをスナップフィット構造により積層、連結して形成される。ケースにはメカニカルキーを収納することができ、メカニカルキーを収納すると、メカニカルキーに形成された挟着部が第１ケース部と第２ケース部に形成された被挟持部を挟み付けて連結強度が高められる。
【特許文献１】特開２００５-２９０９０５号公報
【発明の開示】
【発明が解決しようとする課題】
【０００３】
しかし、上述した従来例において、メカニカルキーを取り外した状態でも第１、第２ケース部はシール部材の弾性復元力に抗して連結状態を維持可能な程度の連結強度をもつスナップフィット構造により連結状態を維持しており、例えば、ケース内に収容された電池を交換する場合等の第１、第２ケースの分解が困難であるという問題がある。
【０００４】
本発明は、以上の欠点を解消すべくなされたものであって、必要時には容易にケース分解が可能な電子キー装置の提供を目的とする。
【課題を解決するための手段】
【０００５】
本発明によれば上記目的は、
２個のケース構成体１、２を適宜の連結手段３により連結して形成され、内部に錠制御装置との電子認証用交信手段を含む電子回路を収容したキーケース４と、
キーケース４に着脱可能に装着されるケース装着体５とを有する電子キー装置であって、
前記キーケース４には、ケース装着体５が嵌合可能な幅でケース装着体５の装着方向に延びる切欠部分が形成され、該切欠部分にケース装着体５が嵌合されて装着され、
かつ、前記切欠部分にはケース構成体１、２同士の連結解除操作を行う連結解除操作部６が配置されるとともに、ケース装着体５を装着した状態で連結解除操作部６がケース装着体５により連結解除操作不能に覆い隠される電子キー装置を提供することにより達成される。
【０００６】
錠制御装置に対して電子的認証要求を行うための電子回路を収容するキーケース４は、２個のケース構成体１、２を連結手段３により連結して形成される。連結手段３は、例えば電池交換のために連結解除可能に形成され、連結解除のための連結解除操作部がキーケース４外部に配置される。２個のケース構成体１、２の分割面は適宜決定することが可能であり、連結手段３も、ケース構成体１、２の分割面を考慮して適宜決定される。連結手段３には、一方が他方に弾発的に係止して連結するスナップフィット構造、ねじ等を使用した構造が使用できる。
【０００７】
ケース装着体５は、上記キーケース４に着脱自在に連結される部品であり、キーリング挿通孔形成部材、ストラップ装着部材等、キーケース４に連結した状態でキーケース４に特別の機能を付与するアクセサリ部品であっても、あるいは後述する連結解除操作部６の遮蔽機能のみを有する部品であってもよく、さらには、キーケース４への連結状態において、上記連結手段３の連結強度、分割界面の接触圧等を高めるものであってもよい。
【０００８】
連結解除操作部６がキーケース４に装着されたケース装着体５により覆い隠される本発明において、連結解除操作部６は、キーケース４外部への露出による美観低下等を考慮して大きさ、位置等を決定する必要がなくなる。この結果、連結解除操作部６は、良好な操作性が確保される程度の大きさ、位置に設定することが可能になり、過度の小型化等による操作性の低下を防止できる。
【０００９】
連結解除操作部６は、例えばねじを連結手段３として使用する場合には、ドライバ等の工具等を使用することなく、コイン等の手近な物により回転操作可能にねじ等部に形成されたスリ割り等、連結手段３の種類に応じて適宜決定されるが、連結手段３としてスナップフィット構造を取る場合には、第１、第２ケースの分割境界に形成されるスリットが利用できる。スリットは、コイン等の手近な物を挿入し、こじ開けることのできる程度の寸法に形成されるが、ケース装着体５としてメカニカルキーを利用する場合には、メカニカルキーのキーブレードによりこじ開け可能に形成すると、使い勝手が向上する。
【発明の効果】
【００１０】
本発明によれば、必要時には容易にケース分解ができるために、使い勝手が向上する。
【発明を実施するための最良の形態】
【００１１】
図１に電子エントリーシステムに対する操作用携帯器として構成された本発明の実施の形態を示す。携帯器は、電子エントリーシステムにおける錠制御装置と交信するための電子認証用交信手段を内蔵するキーケース４と、キーケース４に格納されるメカニカルキー（ケース装着体５）とから構成される。
【００１２】
メカニカルキー５は、主として電子認証システムの不具合時等に緊急施解錠操作を行うために用意され、図２に示すように、キーブレード部１０の一端にキーヘッド部１１を固定して形成される。キーブレード部１０には、図外の解錠コード形成凹部が形成され、錠装置のシリンダ錠に挿入した際に当該解錠コード形成凹部がシリンダ錠に予め設定された解錠コードへの合致を条件にシリンダ錠を回転操作して錠装置の施解錠操作を行うことができる。
【００１３】
キーヘッド部１１は、後述する第１、第２ケース１、２との嵌合による強度を考慮して
、亜鉛によりダイカスト成型され、キーブレード部１１に固定される。嵌合による強度が確保できれば、合成樹脂により形成することも可能であり、この場合は一端部にキーリング装着孔１１ａを備え、予め成型された後キーブレード部１０に機械的に固定され、あるいはキーブレード部１０にアウトサート成型される。このキーヘッド部１１は、メカニカルキー５の操作用頭部としての機能に加え、後述する連結解除操作部６の遮蔽部材として、さらにはキーケース４の締め付け手段としてのケース装着体５として機能し、キーブレード部１０の先端方と両側方に向けて開放されるケース呑み込み部１１ｂを備える。ケース呑み込み部１１ｂの内壁には、キーブレード部１０の長手方向（後述するように、メカニカルキー５はキーブレード部１０の長手方向に沿って移動させてキーケース４に収納されるので、以後、この方向を「キー収納方向」という。）に沿って両側方に張り出した突条１２が設けられる。この突条１２は、ケース呑み込み部１１ｂのキーブレード部１０が固定される側の壁面にケース呑み込み部１１ｂの全長に渡って連続状に形成され、両面が、後述するケース構成体１、２の被押圧面１ａ、２ａを押圧する押圧面８として使用される。
【００１４】
また、ケース呑み込み部１１ｂの突条１２形成壁に対向する壁面には被係止部１３が設けられる。被係止部１３は、突条１２側に向けて突設され、ケース呑み込み部１１ｂ開放端側の壁面に、ケース呑み込み部１１ｂ開放端に行くに従って漸次突出寸法が小寸となる傾斜面１３ａが形成される。
【００１５】
図１、３に示すように、キーケース４は、上記電子認証用交信手段を含む電子回路が実装されたプリント基板１４が固定される第１ケース（ケース構成体１）と、制御ボタン１５が配置される第２ケース（ケース構成体２）とを連結手段３により積層状に連結して形成される。この実施の形態において、制御ボタン１５は、図１（ａ）に示すように、第２ケース２の上端に配置される、例えば施解錠操作に付随して交信を行うボタン、中央に配置される解錠ボタン、下端に配置される施錠ボタンからなる。連結手段３は、図３（ｂ）、（ｃ）に示すように、一方に形成される弾性係止脚３ａを他方の係止凹部３ｂに弾発的に係止して係止関係を確立するスナップフィット構造により形成される。
【００１６】
後述するように、メカニカルキー５を抜去した状態で露出するスリット（連結解除操作部６）へのこじり操作により容易に連結手段３の連結が解除されるように、第１、第２ケース１、２の側縁に配置される弾性係止脚３ａと係止凹部３ｂとの接触面は、図３（ｂ）に示すように、離隔方向への力により弾性係止脚３ａに係止解除方向の分力が発生しやすい斜面で形成される。これに対し、ケース装着体５により連結される反対端に位置する連結手段３は、ケース装着体５における締め付け力により発生する捲り上がり方向の力により妄りに連結解除されないように、図３（ｃ）に示すように、弾性係止脚３ａと係止凹部３ｂとの接触面は分割方向線に対して直交する平面により形成される。
【００１７】
９はシール部材であり、上記第１、第２ケース１、２間に介装される。このシール部材９は制御ボタン１５と第２ケース２との間隙からの水分、塵埃のキーケース４内への侵入を完全に防止するために、開口部を有しない連続状のシート体により形成される。このシール部材９には、キーケース４内に配置される部品との干渉を防止するための適宜の凹凸が形成される。また、このシール部材９の周縁には、第１、第２ケース１、２により挟まれて積層界面を全周に渡ってシールするシール平面９ａが形成される。
【００１８】
図４に第１ケース１を示す。第１ケース１は所定深さのトレイ形状に形成される。この第１ケース１の中央部には、上記シール部材９のシール平面９ａを挟み付ける隔壁１ｂにより部品収容スペース１ｃが区画され、部品収容スペース１ｃの外部に、上記メカニカルキー５のキーヘッド部１１が嵌合可能な幅でキー収納方向に延びるキー嵌合切欠１ｄが形成される。
【００１９】
また、第１ケース１には、メカニカルキー５のキーブレード部１０が挿入するブレード収容孔１６が形成される。ブレード収容孔１６は、一端が上記キー嵌合切欠１ｄ、２ｄに開放され、キー収納方向に長い断面矩形の有底孔として形成される。ブレード収容孔１６は、部品収容スペース１ｃの底壁内に形成されて部品収容スペース１ｃに対して隔離される。
【００２０】
１ｆは連結脚であり、キー嵌合切欠１ｄの両側壁部に立設される。各連結脚１ｆには、上記メカニカルキー５の突条１２が挿通可能な第１挿通路１ｇが形成される。第１挿通路１ｇはキー収納方向に連続し、キー嵌合切欠１ｄの中央部に向けて開放される凹溝として形成される。
【００２１】
図５に第２ケース２を示す。第２ケース２は上記第１ケース１と同様にキー嵌合切欠２ｄを有して第１ケース１とほぼ同一の輪郭形状を有し、第１ケース１の隔壁１ｃに対峙する隔壁２ｂを備える。また、第２ケース２のキー嵌合切欠２ｄには、スリット形成段部２ｅと連結脚２ｆが形成される。スリット形成段部２ｅは、図６（ｂ）に示すように、第２ケース２の底壁に対向して形成され、スリット形成段部２ｅと第２ケース２の底壁によりキー嵌合切欠１ｄ、２ｄの開放端側に開口するスリット６が形成される。スリット形成段部２ｅと第２ケース２の底壁との間隔（ｄ）、すなわち、スリット６の高さは、メカニカルキー５のキーブレード部１０を挿入させることができる程度に設定される。また、第２ケース２のスリット形成段部２ｅには、第１ケース１の積層方向とは反対方向に円柱状のばね受け突部２ｈが突設される。
【００２２】
さらに、第２ケース２の連結脚２ｆは、図６（ａ）、（ｃ）に示すように、第１ケース１と第２ケース２とを積層した時の干渉を防止するために、第１ケース１側の連結脚１ｆに対してキー収納方向にずれた位置に設けられる。これら第２ケース２の連結脚２ｆには上記第１挿通路１ｇと同様に凹溝状の第２挿通路２ｇが形成される。第２挿通路２ｇは、連結手段３により第１、第２ケース２１、２を積層させた状態で第１挿通路１ｇの延長線上に位置するように配置され、上記メカニカルキー５の突条１２は、キーヘッド部１１をキー嵌合切欠１ｄ、２ｄに嵌合させる動作に伴って第２挿通路２ｇを経由して第１挿通路１ｇに進入する。
【００２３】
突条１２の進入に際し、第１、第２挿通路１ｇ、２ｇは、各々対向壁面の一方が突条１２に摺接して突条１２により押圧される被押圧面１ａ、２ａとして機能する。図６（ａ）に示すように、第１挿通路１ｇは第２ケース２側、第２挿通路２ｇは、第１ケース１側の壁面が被押圧面１ａ、２ａとなるように設定される。
【００２４】
したがってこの実施の形態において、図６（ｃ）に示すように、連結手段３により連結されたキーケース４にメカニカルキー５のキーヘッド部１１をキー嵌合切欠１ｄ、２ｄに嵌合させると、図６（ａ）に示すように、キーブレード部１０は第１ケース１のブレード収容孔１６に挿入されて収容される。なお、理解を容易にするように、連結手段３により積層方向に連結された第１、第２ケース１、２は、図６（ａ）において分割状態で図示されている。
【００２５】
キーヘッド部１１のキー嵌合切欠１ｄ、２ｄへの嵌合操作に伴って、キーヘッド部１１の突条１２は第１、第２挿通路１ｇ、２ｇを通過し、通過途上において各々の被押圧面１ａ、２ａに摺接する。被押圧面１ａ、２ａの突条１２への摺接により、第１挿通路１ｇの被押圧面１ａには第２ケース２側への押圧力が、第２挿通路２ｇの被押圧面２ａには第１ケース１側への押圧力が突条１２の押圧面８に押されて発生するために、第１、第２ケース２１、２は互いに接近する方向に移動し締め付け力が付与される。
【００２６】
被押圧面１ａ、２ａの突条１２による排斥量、すなわち第１、第２ケース１、２の移動量は、上述したシール部材９の撓み量をもとに決定され、メカニカルキー５を収納した状態において、シール部材９のシール平面９ａは第１、第２ケース１、２の隔壁１ｂ、２ｂに挟み付けられて撓み、十分なシール性能が確保するためのシール面圧が確保される。
【００２７】
また、この状態からメカニカルキー５を抜去しても、シール部材９のシール面圧は低下するものの、第１、第２ケース１、２は連結手段３により連結状態が維持される。例えば電池交換等のために第１、第２ケース１、２を分割する際には、図６（ｂ）に示すように、スリット６に、抜去したメカニカルキー５のキーブレード部１０を挿入してこじると、簡単に第１、第２ケース１、２を分割することができる。
【００２８】
さらに、第２ケース２には上記メカニカルキー５の収納状態の保持、保持解除を行うための操作ボタン１７が装着される。図７に示すように、操作ボタン１７は棒状の操作部１７ａと、操作部１７ａの両端下方から両側に延設される取付部１７ｂとを有し、図７（ｆ）、図８（ａ）に示すように、取付部１７ｂを第２ケース２に凹設されたボタン装着凹部１８に嵌合し、操作部１７ａを第２ケース２の表面に露出させて第２ケース２に装着される。第２ケース２への装着状態において、操作ボタン１７の操作部１７ａは、図７（ｅ）に示すように、第２ケース２のキー嵌合切欠２ｄの奥行き方向終端壁に沿って配置される。
【００２９】
また、操作部１７ａには、第２ケース２に装着した状態で第２ケース２のばね受け突部２ｈに対向する円柱状のばね受け突部１７ｈを備えたばね受け片１７ｃが突設される。図８（ｂ）に示すように、第２ケース２と操作ボタン１７のばね受け片１７ｃとの間には、第２ケース２のばね受け突部２ｈと操作ボタン１７のばね受け突部１７ｈに中心部を支えられるようにして圧縮コイルばね１９が装着され、操作ボタン１７を後述する上部ストローク終端位置側に付勢する。
【００３０】
上記操作ボタン１７の移動ストロークを図８（ａ）により説明する。操作ボタン１７は、第１、第２ケース１、２の連結操作方向に沿って移動し、図８（ａ）に示される２個の操作ボタン１７は、ストローク方向の第２ケース２に対する相対位置のみを示す。図８（ａ）において上方に示される操作ボタン１７は、上部ストローク終端位置を示し、当該終端位置が、取付部１７ｂの上面がボタン装着凹部１８の天井壁に当接して決定されることを示す。これに対し、図８（ａ）において下方に示される操作ボタン１７は、下部ストローク終端位置を示し、ばね受け突部１７ｈが第２ケース２側のばね受け突部２ｈに当接して下部ストローク終端位置が決定されることを示す。
【００３１】
また、操作ボタン１７には係止部２０が形成される。係止部２０は、上記メカニカルキー５のキーヘッド部１１に形成される被係止部１３に対応して２個形成され、各々取付部１７ｂ基端に固定される。この係止部２０は、図７（ｃ）に示すように、第２ケース２に装着した状態で収納されるメカニカルキー５の被係止部１３に形成される傾斜面１３ａとほぼ平行な傾斜面を先端面に有して断面直角三角形状に形成される。
【００３２】
したがってこの実施の形態において、メカニカルキー５を収納すると、まず、キーヘッド部１１の被係止部１３の斜面１３ａが操作ボタン１７の斜面に当接し、さらにメカニカルキー５を押し込むと、操作ボタン１７は圧縮コイルばね１９の反力に抗して一旦下部ストローク終端位置側に移動した後、図８（ｃ）に示すように、係止部２０がキーヘッド部１１の被係止部１３に係止し、以後、メカニカルキー５の抜去を規制する。
【００３３】
この状態から図８（ｄ）に示すように、操作ボタン１７の操作部１７ａを押下すると、係止部２０と被係止部１３との係止が解除され、この状態でメカニカルキー５を抜去することができる。図１（ａ）に示すように、メカニカルキー５を収納した状態で、操作ボタン１７の操作部１７ａは、キーケース４とメカニカルキー５のキーヘッド部１１との境界に位置しているために、抜去操作は、例えば、キーケース４側を握った状態で親指で操作ボタン１７を押し下げながらキーヘッド部１１を押し出す操作により、あるいは片方の手でキーケース４を握った状態で、他方の手の指で操作ボタン１７とキーヘッド部１１を挟み付け、そのまま引き抜くことにより簡単に行うことができる。この際、操作ボタン１７の押し下げとともに操作ボタン１７に隣接する制御ボタン１５を押し下げれば、操作ボタン１７の操作がしやすくなる。
【００３４】
図９以下にケース装着体の変形例を示す。なお、以下の説明において、上述した実施の形態と実質的に同一の構成要素は図中に同一符号を付して説明を省略する。
【００３５】
上述した実施の形態において、第１、第２ケース１、２の締め付けは、突条１２を第１、第２挿通路１ｇ、２ｇに通過させることにより行われていたが、この実施の形態において、第１、第２ケース１、２の締め付けは、第１、第２ケース１、２に形成した被締め付け突部１ｊ、２ｊをキーヘッド部１１により挟み付けて行われる。
【００３６】
すなわち、図９（ａ）に示すように、メカニカルキー５のキーヘッド部１１の両側壁部には、キー装着方向と両側に開放された押圧面形成凹部２１が形成され、第１、第２ケース１、２の積層方向で対向する壁面が押圧面８とされる。一方、図１０に示すように、第１、第２ケース１、２のキー嵌合切欠１ｄ、２ｄの内側壁部には、第１、第２ケース１、２の積層方向で対向する被締め付け突部１ｊ、２ｊが各々突設され、これら被締め付け突部１ｊ、２ｊの背向壁面が被押圧面１ａ、２ａとされる。
【００３７】
したがってこの実施の形態において、図９（ａ）に示すように、連結手段３により連結されたキーケース４にメカニカルキー５を収納すると、キーヘッド部１１は押圧面８により被押圧面１ａ、２ａを押し付けながらキー嵌合切欠１ｄ、２ｄに嵌合する。嵌合状態において第１、第２ケース１、２は相互に近接する方向に押し付けられ、シール部材９に好適なシール面圧を与える。
【００３８】
また、図９に示すように、キーヘッド部１１の押圧面形成凹部２１にはキー装着方向に開放する被係止部形成凹部２２が形成され、被係止部形成凹部２２の壁面を利用して被係止部１３が形成される。これに対し、第２ケース２には、図外の圧縮スプリングにより図９（ｂ）において矢印方向に付勢された操作ボタン１７が装着されており、キーヘッド部１１がキー嵌合切欠１ｄ、２ｄに嵌合すると、操作ボタン１７の係止部２０が被係止部１３に係止してメカニカルキー５の脱離を規制する。
【００３９】
さらに、この状態から操作ボタン１７を押下すると、図９（ｂ）に示すように、係止部２０の被係止部１３との係止が解除され、メカニカルキー５を抜去することができる。
【図面の簡単な説明】
【００４０】
【図１】本発明を示す図で、（ａ）は平面図、（ｂ）はメカニカルキー収納途上の（ａ）の１Ｂ-１Ｂ線断面図である。
【図２】メカニカルキーを示す図で、（ａ）はキーヘッド部の斜視図、（ｂ）は（ａ）の２Ｂ方向矢視図、（ｃ）は（ｂ）の２Ｃ方向矢視図、（ｄ）は（ｂ）の２Ｄ-２Ｄ線断面図である。
【図３】キーケースを示す図で、（ａ）は図１（ａ）の３Ａ-３Ａ線断面図、（ｂ）は図３（ａ）の３Ｂ部拡大図、（ｃ）は図１（ｂ）の３Ｃ部拡大図、（ｄ）はシール部材の斜視図である。
【図４】第１ケースを示す図で、（ａ）は図３（ａ）の４Ａ方向から見た図、（ｂ）は図４（ａ）の４Ｂ線断面図、（ｃ）は図４（ａ）の４Ｃ方向矢視図、（ｄ）は図４（ｂ）の４Ｄ方向から見た斜視図、（ｅ）は図４（ｂ）の４Ｅ方向から見た斜視図である。
【図５】第２ケースを示す図で、（ａ）は図３（ａ）の５Ａ方向から見た図、（ｂ）は図５（ａ）の５Ｂ線断面図、（ｃ）は図５（ａ）の５Ｃ方向矢視図、（ｄ）は図５（ｂ）の５Ｄ方向から見た斜視図、（ｅ）は図５（ｂ）の５Ｅ方向から見た斜視図である。
【図６】キーケースの連結状態を示す図で、（ａ）は連結部の作用を示す説明図、（ｂ）はメカニカルキー装着前の（ａ）の６Ｂ方向矢視図、（ｃ）は（ａ）の６Ｃ方向矢視図である。
【図７】操作ボタンを示す図で、（ａ）は斜視図、（ｂ）は（ａ）の７Ｂ方向矢視図、（ｃ）は（ｂ）の７Ｃ-７Ｃ線断面図、（ｄ）は（ａ）の７Ｄ方向矢視図、（ｅ）は第２ケースへの装着状態を示す（ａ）の７Ｂ方向から見た図、（ｆ）は第２ケースへの装着状態を示す（ａ）の７Ｄ方向から見た図である。
【図８】操作ボタンの動作を示す図で、（ａ）はストローク終端位置を説明する図７（ｆ）の８Ａ-８Ａ線断面図、（ｂ）は図７（ｆ）の８Ｂ-８Ｂ線断面図、（ｃ）は操作ボタンによりメカニカルキーを係止した状態を示す図１（ｂ）に対応する図、（ｄ）は操作ボタンの係止を解除した状態を示す図８（ｃ）に対応する図である。
【図９】ケース装着体の変形例を示す図で、（ａ）はキーケースへの装着工程を示す図、（ｂ）は操作ボタンによるキーケースへの係止状態を示す図、（ｃ）は操作ボタンの係止を解除した状態を示す図である。
【図１０】ケース構成体を示す図で、（ａ）は第１ケースの図９（ａ）における１０Ａ方向矢視図、（ｂ）は第２ケースの図９（ａ）における１０Ｂ方向矢視図である。
【符号の説明】
【００４１】
１、２      ケース構成体
１ａ、２ａ  被押圧面
３          連結手段
４          キーケース
５          ケース装着体
６          連結解除操作部
８          押圧面
９          シール部材
【図１】
0004620611.tif 000002
【図２】
0004620611.tif 000003
【図３】
0004620611.tif 000004
【図４】
0004620611.tif 000005
【図５】
0004620611.tif 000006
【図６】
0004620611.tif 000007
【図７】
0004620611.tif 000008
【図８】
0004620611.tif 000009
【図９】
0004620611.tif 000010
【図１０】
0004620611.tif 000011